(57)【要約】      （修正有）【課題】１枚のシート材を折曲することによって構成する御札スタンドを提供する。【解決手段】１枚のシート材を折曲させて組み立て、御札Ｍを立て掛け姿勢で立設する御札スタンド１は、御札Ｍの後面Ｍ１を後方から支持する後傾姿勢の後面支持板１０と、後面支持板１０の下端１０ａから前方に折曲されて御札Ｍの下面Ｍ２を下方から支持する前上がりの前側部分２１と、前側部分２１と同一平面を形成するとともに後面支持板１０の下端１０ａよりも後方に位置して後端２２ｄを載置面Ｎに載せる後側部分２２とを有する下面支持板２０と、下面支持板２０の前側部分２１の前端２１ｂから下方に折曲され、下端３０ｈを載置面Ｎに載せて下面支持板２０に傾斜を付与する傾斜付与板３０と、後面支持板１０の上端１０ｃから下方に折曲されて、下端４０ｇを載置面Ｎ上の後側部分２２の後端２２ｄに合わせ、後面支持板１０を後方から支持する前傾姿勢の補助板４０とを備える。【選択図】図３
2020058670.tif 000002
【特許請求の範囲】
【請求項１】
１枚のシート材を折曲させて組み立て、御札を立て掛け姿勢で立設する御札スタンドにおいて、
御札の後面を後方から支持する後傾姿勢の後面支持板と、
前記後面支持板の下端から前方に折曲されて前記御札の下面を下方から支持する前上がりの前側部分と、前記前側部分と同一平面を形成するとともに前記後面支持板の下端よりも後方に位置して後端を載置面に載せる後側部分とを有する下面支持板と、
前記下面支持板の前記前側部分の前端から下方に折曲され、下端を前記載置面に載せて前記下面支持板に傾斜を付与する傾斜付与板と、
前記後面支持板の上端から下方に折曲されて、下端を前記載置面上の前記後側部分の後端に合わせ、前記後面支持板を後方から支持する前傾姿勢の補助板と、を備える、
ことを特徴とする御札スタンド。
【請求項２】
前記補助板の下端から前方に折曲され、前記下面支持板の前記後側部分の上面に重畳されて前端を前記後面支持板の下端に合わせる重畳板を備える、
ことを特徴とする請求項１に記載の御札スタンド。
【請求項３】
前記傾斜付与板の下端から後方に折曲されて後端を前記補助板の下端に合わせる載置板と、
前記載置板の後端から上方に折曲された折返し板と、
前記折返し板の上端に形成されて、前記補助板に形成された嵌込み孔に嵌め込まれるフラップと、を備える、
ことを特徴とする請求項２に記載の御札スタンド。
【請求項４】
前記重畳板には「上」を、前記下面支持板の前記後側部分には「下」を意味する符号が付されている、
ことを特徴とする請求項２又は３に記載の御札スタンド。
【請求項５】
前記シート材から前記フラップを除いた部分は、長方形状に形成されている、
ことを特徴とする請求項３又は４に記載の御札スタンド。
【請求項６】
前記シート材は、シート状部材を一方の面からのみ加工して形成した、
ことを特徴とする請求項１ないし５に記載の御札スタンド。
【請求項７】
前記シート材は、前記各板の間の折曲部が、互いに平行な折り線によって構成されている、
ことを特徴とする請求項１ないし６のいずれか１項に記載の御札スタンド。
【請求項８】
前記シート材は、厚紙である、
ことを特徴とする請求項１ないし７のいずれか１項に記載の御札スタンド。
【請求項９】
前記補助板は、壁から出た吊り下げ具に引っ掛けるための引っ掛け部を有する、
ことを特徴とする請求項１ないし８のいずれか１項に記載の御札スタンド。
【発明の詳細な説明】
【技術分野】
【０００１】
本発明は、１枚のシート材を折曲させて組み立てるとともに、御札を立て掛け状態で立設する御札スタンドに関する。
【背景技術】
【０００２】
従来、御札等の立設用具として、特許文献１のようなものが提案されている。
このものは、要約書の「解決手段」に、
【０００３】
「平板状からなる基台１に対して、平板状からなる後方支持片２と前方支持片３とを取付け・取外し自在とし、御札等の立設用具１０の組立状態から部品状態に、あるいは部品状態から組立状態に移行可能とする。両支持片の基台１への取付け・取外しに関し、基台１の上面に相互に平行に切欠形成される後方嵌合溝４と前方嵌合溝５に対し、対応する後方支持片２の底部６と前方支持片３の底部７とを嵌合可能に形成する。組立状態において基台１に対して直立状態で鉛直方向に延在する後方支持片２を背高にし、他方、前方支持片３を背低にすることで、長尺状の御札８を後方支持片２に胴部背面を立て掛け状態で立設したときに、正面から御札８を視認できるようにする。」
と記載されている。
【先行技術文献】
【特許文献】
【０００４】
【特許文献１】実用新案登録第３１４０６２１号
【発明の概要】
【発明が解決しようとする課題】
【０００５】
しかしながら、従来技術によると、御札等の立設用具は、少なくとも３つの平板状の部材、すなわち基台、後方支持片、及び前方支持片を組み合わせて構成する必要があるいう問題があった。
また、立て掛け状態で立設した御札の下面が前方に滑ることを防止するため、前方支持片が必要であるという問題もあった。
【０００６】
本発明は、上述した事情に鑑みてなされたものであり、１枚のシート材を折曲することによって構成する簡単なものでありながら、しかも、前方支持片が不要な御札スタンドを提供することを目的とする。
【課題を解決するための手段】
【０００７】
請求項１に係る発明は、１枚のシート材を折曲させて組み立て、御札を立て掛け姿勢で立設する御札スタンドにおいて、御札の後面を後方から支持する後傾姿勢の後面支持板と、前記後面支持板の下端から前方に折曲されて前記御札の下面を下方から支持する前上がりの前側部分と、前記前側部分と同一平面を形成するとともに前記後面支持板の下端よりも後方に位置して後端を載置面に載せる後側部分とを有する下面支持板と、前記下面支持板の前側部分の前端から下方に折曲され、下端を前記載置面に載せて前記下面支持板に傾斜を付与する傾斜付与板と、前記後面支持板の上端から下方に折曲されて、下端を前記載置面上の前記後側部分の後端に合わせ、前記後面支持板を後方から支持する前傾姿勢の補助板と、を備える、ことを特徴とする。
【０００８】
請求項２に係る発明は、請求項１に係る御札スタンドにおいて、前記補助板の下端から前方に折曲され、前記下面支持板の前記後側部分の上面に重畳されて前端を前記後面支持板の下端に合わせる重畳板を備える、ことを特徴とする。
【０００９】
請求項３に係る発明は、請求項２に係る御札スタンドにおいて、前記傾斜付与板の下端から後方に折曲されて後端を前記補助板の下端に合わせる載置板と、前記載置板の後端から上方に折曲された折返し板と、前記折返し板の上端に形成されて、前記補助板に形成された嵌込み孔に嵌め込まれるフラップと、を備える、ことを特徴とする。
【００１０】
請求項４に係る発明は、請求項２又は３に係る御札スタンドにおいて、前記重畳板には「上」を、前記下面支持板の前記後側部分には「下」を意味する符号が付されている、ことを特徴とする。
【００１１】
請求項５に係る発明は、請求項３又は４に係る御札スタンドにおいて、前記シート材から前記フラップを除いた部分は、長方形状に形成されている、ことを特徴とする。
【００１２】
請求項６に係る発明は、請求項１ないし５に係る御札スタンドにおいて、前記シート材は、シート状部材を一方の面からのみ加工して形成した、ことを特徴とする。
【００１３】
請求項７に係る発明は、請求項１ないし６のいずれか１項に係る御札スタンドにおいて、前記シート材は、前記各板の間の折曲部が、互いに平行な折り線によって構成されている、ことを特徴とする。
請求項８に係る発明は、請求項１ないし７のいずれか１項に係る御札スタンドにおいて、前記シート材は、厚紙である、ことを特徴とする。
【００１４】
請求項９に係る発明は、請求項１ないし８のいずれか１項に記載の御札スタンドにおいて、前記補助板は、壁から出た吊り下げ具に引っ掛けるための引っ掛け部を有する、ことを特徴とする。
【発明の効果】
【００１５】
請求項１の発明によれば、御札スタンドは、後面支持板、下面支持板、傾斜付与板、及び補助板を備えている。このうち、下面支持板と傾斜付与板とは、三角形を作って形状が決まる。すなわち、下面支持板の後側部分の後端は、載置面に載り、傾斜付与板の下端は、載置面に載り、下面支持板の前端部分の前端から傾斜付与板が折曲されている。つまり、下面支持板の後端、傾斜付与板の下端、及び下面支持板の前端（これは傾斜付与板の上端と等しい）の３点が決まり、下面支持板と傾斜付与板とは、その形状が決まる。
【００１６】
同様にして、後面支持板と補助板とは、三角形を作って形状が決まる。すなわち、後面支持板の下端は、上述の下面支持板の前側部分と後側部分との間にあり、補助板の下端は、積載面に載るとともに下面支持板の後端に合わせ、後面支持板の上端から補助板が折曲されている。つまり、後面支持板の下端、補助板の下端、及び後面支持板の上端（これは補助板の上端と等しい）の３点が決まり、後面支持板と補助板とは、その形状が決まる。
以上より、後面支持板、下面支持板、傾斜付与板、及び補助板を備えた御札スタンドの形状が決まる。
【００１７】
さらに、下面支持板が前上がりに構成されているので、これが平らな場合と比して、御札を立て掛け姿勢で後面支持板によって支持した際に、御札の下面が前方に滑りにくく、したがって、前方支持片が不要となる。
【００１８】
請求項２の発明によれば、御札スタンドは、重畳板が、補助板の下端から前方に折曲され、下面支持板の後側部分の上面に重畳されて前端を後面支持板の下端に合わせるので、補助板の下端の位置がより一層明確に確定される。
【００１９】
請求項３の発明によれば、御札スタンドは、載置板、折返し板、及びフラップを備える。載置板は、傾斜付与板の下端から後方に折曲されて後端を補助板の下端に合わせるものであり、折返し板は、載置板の後端から上方に折曲されるものである。そして、フラップは、折返し板の上端に形成されて、補助板に形成された嵌込み孔に嵌め込まれるものである。このため、御札スタンドは、フラップを嵌込み孔に嵌め込むことにより、形状をしっかりと維持することができる。請求項１において、載置面が滑りやすく、補助板の下端が滑りがちとなるような場合でも、これを防止することができる。
【００２０】
請求項４の発明によれば、御札スタンドは、重畳板には「上」を、下面支持板の後側部分には「下」を意味する符号が付されているので、例えば、使用者がシート材を折曲させて御札スタンドを組み立てる際、後側部分が下に、そして、重畳板が上に重なることが明確に分かる。
【００２１】
請求項５の発明によれば、御札スタンドは、シート材からフラップを除いた部分が、長方形状に形成されているので、シート状部材からシート材を切り取る際、無駄が出にくい。
【００２２】
請求項６の発明によれば、御札スタンドは、シート状部材を一方の面からのみ加工して形成していて、シート状部材の他方の面からの加工は不要であるので、その分、加工を簡略化することができる。
【００２３】
請求項７の発明によれば、御札スタンドは、シート材の各板の間の折曲部が、互いに平行な折り線によって構成されているので、使用者が御札スタンドを組み立てる際、間違いを少なくすることができる。
【００２４】
請求項８の発明によれば、御札スタンドは、シート材が厚紙によって形成されているので、プラスチック等の合成樹脂でできている場合と異なり、処分する際に、廃棄が容易である。
【００２５】
請求項９の発明によれば、御札スタンドは、補助板が、壁から出た吊り下げ具に引っ掛けるための引っ掛け部を有するので、載置面に置いた状態で使用するばかりでなく、壁に掛けても使用することができる。
【図面の簡単な説明】
【００２６】
【図１】図１〜図３は、実施形態１の御札スタンド１を示し、図１は組み立て前の御札スタンド１の展開図（シート材Ｓ１）である。
【図２】組み立て後の御札スタンド１の斜視図である。
【図３】組み立て後御の御札スタンド１の右側面図である。
【図４】図４〜図６は、実施形態２の御札スタンド２を示し、図４は組み立て前の御札スタンド２の展開図（シート材Ｓ２）である。
【図５】組み立て後の御札スタンド２の斜視図である。
【図６】組み立て後の御札スタンド２の右側面図である。
【発明を実施するための形態】
【００２７】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
図１〜図３を参照して本発明を適用した実施形態１に係る御札スタンド１について説明する。
【００２８】
このうち、図１は、組み立て前の御札スタンド１の展開図（シート材Ｓ１）である。また、図２は、組み立て後の御札スタンド１の斜視図である。また、図３は、組み立て後の御札スタンド１の右側面図である。
【００２９】
御札スタンド１は、図１に示すように、平面状の大きめのシート状部材ＬＳ１から１枚のシート材Ｓ１を切り出し、そして、このシート材Ｓ１を折曲部に設けた折り線ａ，ｂ，ｃで折曲することによって組み立てている。
【００３０】
本実施形態では、シート状部材ＬＳ１としては、厚紙（ボール紙）を使用している。なお、シート状部材ＬＳ１としては、厚紙以外に、例えば、合成樹脂も使用することができる。
【００３１】
シート状部材ＬＳ１は、図１で見える面を表面（一方の面）Ａとし、反対の見えない面を裏面（他方の面）Ｂとすると、シート材Ｓ１は、シート状部材ＬＳ１の表面Ａからのみの加工によって形成され、裏面Ｂからは何の加工もなされない。
表面Ａから加工としては、シート状部材ＬＳ１からシート材Ｓ１の切り取りがある。シート材Ｓ１は、全体として長方形状に切り取られる。
【００３２】
表面Ａからの加工として、折れ線ａ，ｂ，ｃがある。折れ線ａは、後述する後面支持板１０と下面支持板２０の前側部分２１との間の折曲部、また、折れ線ｂは、下面支持板２０と傾斜付与板３０との間の折曲部、そして、折れ線ｃは、後面支持板１０と補助板４０との間の折曲部に形成されている。折れ線ａは、例えば、シート材Ｓ１の全厚さにわたって形成されたミシン線によって構成されていて、谷折れ線となる。また、折れ線ｂ，ｃは、例えば、シート材Ｓ１の全厚さの半分ほどの切れ目を表面Ａ側から入れることによって構成されていて、山折れ線となる。これら折れ線ａ，ｂ，ｃは、シート材Ｓ１の長辺に対して垂直に形成されており、互いに平行になっている。
【００３３】
さらに、表面Ａからの加工として、切り抜きｄ，ｅがある。このうち切り抜きｄは、後面支持板１０と下面支持板２０の後側部分２２との間の「コ」字形の部分であり、シート材Ｓ１の全厚さにわたって切り抜かれている。また、切り抜きｅは、補助板４０にほぼ半円に２個形成されていて、切り抜きｄと同様に、シート材Ｓ１の全厚さにわたって切り抜かれている。この切り抜きｅは、壁（不図示）から出た吊り下げ具（不図示）に御札スタンド１を引っ掛けるための引っ掛け部となるものである。
【００３４】
このように、シート材Ｓ１に対する加工として、シート状部材ＬＳ１からのシート材Ｓ１の切り取り、折れ線ａ，ｂ，ｃの形成、及び切り抜きｄ，ｅの形成があるが、これらの加工はいずれもシート状部材ＬＳ１の表面Ａからのみ行われる。
【００３５】
つづいて、図２、図３を参照して、組み立て後の御札スタンド１について説明する。なお、図２、図３中に矢印で示す前後左右上下が、御札スタンド１の前後左右上下と一致するものとする。
御札スタンド１は、後面支持板１０、下面支持板２０、傾斜付与板３０、及び補助板４０を備えている。
【００３６】
このうち後面支持板１０は、後傾姿勢を取り、御札Ｍの後面Ｍ１を後方から支持する。なお、後面支持板１０の後傾姿勢とは、後面支持板１０の上端１０ｃが下端１０ａよりも後方に位置する姿勢を言う。後面支持板１０の下端１０ａにおける左右方向の中央には、「コ」字形の切り抜きｄが形成されている。
【００３７】
下面支持板２０は、後面支持板１０の下端１０ａから前方に折曲されて御札Ｍの下面Ｍ２を下方から支持する前上がりの前側部分２１と、前側部分２１と同一平面を形成するとともに後面支持板１０の下端１０ａよりも後方に位置して後端２２ｄを載置面Ｎ（図３参照）に載せる後側部分２２とを有している。なお、後側部分２２は、後面支持板１０から切り抜きｄを介して切り抜かれた部分である。
【００３８】
傾斜付与板３０は、下面支持板２０の前側部分２１の前端２１ｂから下方に折曲され、下端３０ｈを載置面Ｎに載せて下面支持板２０に傾斜を付与するものである。
【００３９】
補助板４０は、後面支持板１０の上端１０ｃから下方に折曲されて、下端４０ｇを載置面Ｎ上の、下面支持板２０の後側部分２２の後端２２ｄに合わせ、後面支持板１０を後方から支持するものである。補助板は、前傾姿勢と取る。
以下、御札スタンド１の効果についてまとめる。
【００４０】
・御札スタンド１は、後面支持板１０、下面支持板２０、傾斜付与板３０、及び補助板４０を備えている。このうち、図３に示すように、下面支持板２０と傾斜付与板３０とは、三角形を作って形状が決まる。すなわち、下面支持板２０の後側部分２２の後端２２ｄは、載置面Ｎに載り、傾斜付与板３０の下端３０ｈは、載置面Ｎに載り、下面支持板２０の前側部分２１の前端２１ｂから傾斜付与板３０の上端３０ｂが折曲されている。つまり、下面支持板２０の後側部分２２の後端２２ｄ、傾斜付与板３０の下端３０ｈ、及び下面支持板２０の前端２１ｂ（これは傾斜付与板３０の上端３０ｂとほぼ等しい）の３点が決まり、下面支持板２０と傾斜付与板３０とは、その形状が決まる。
【００４１】
同様にして、後面支持板１０と補助板４０とは、三角形を作って形状が決まる。すなわち、後面支持板１０の下端１０ａは、上述の下面支持板２０の前側部分２１と後側部分２２との間にあり、補助板４０の下端４０ｇは、載置面Ｎに載るとともに下面支持板２０の後側部分２２の後端２２ｄに合わせ、後面支持板１０の上端１０ｃから補助板４０の上端４０ｃが折曲されている。つまり、後面支持板１０の下端１０ａ、補助板４０の下端４０ｇ、及び後面支持板１０の上端１０ｃ（これは補助板４０の上端４０ｃとほぼ等しい）の３点が決まり、後面支持板１０と補助板４０とは、その形状が決まる。
以上より、後面支持板１０、下面支持板２０、傾斜付与板３０、及び補助板４０を備えた御札スタンドの形状が決まる。
【００４２】
さらに、下面支持板２０が前上がりに構成されているので、これが平らな場合と比して、御札Ｍを立て掛け姿勢で後面支持板１０によって支持した際に、御札Ｍの下面Ｍ２が前方に滑りにくく、したがって、前方支持片が不要となる。
・御札スタンド１は、シート材Ｓ１が長方形状に形成されているので、シート状部材ＬＳ１からシート材Ｓ１を切り取る際、無駄が出にくい。
【００４３】
・御札スタンド１は、シート状部材ＬＳ１を表面Ａ（一方の面）からのみ加工して形成していて、シート状部材ＬＳ１の裏面（他方の面）からの加工は不要であるので、その分、加工を簡略化することができる。
【００４４】
・御札スタンド１は、シート材Ｓ１の各板の間の折曲部が、互いに平行な折り線ａ，ｂ，ｃによって構成されているので、使用者が御札スタンド１を組み立てる際、簡略化して、間違いを少なくすることができる。
【００４５】
・御札スタンド１は、シート材Ｓ１が厚紙によって形成されているので、プラスチック等の合成樹脂でできている場合と異なり、処分する際に、環境にやさしい。
【００４６】
・御札スタンド１は、補助板４０が、壁から出た吊り下げ具に引っ掛けるための引っ掛け部（切り欠きｅ）を有するので、載置面Ｎに置いた状態で使用するばかりでなく、壁に掛けても使用することができる。
＜実施形態２＞
図４〜図６を参照して本発明を適用した実施形態２に係る御札スタンド２について説明する。
【００４７】
このうち、図４は、組み立て前の御札スタンド２の展開図（シート材Ｓ２）である。また、図５は、組み立て後の御札スタンド２の斜視図である。また、図６は、組み立て後の御札スタンド２の右側面図である。
【００４８】
本実施形態のシート材Ｓ２は、実施形態１のシート材Ｓ１に、重畳板５０、載置板６０、折返し板７０、及びフラップ８０を加え、さらに、補助板４０に嵌込み孔ｆを形成したものである。
なお、実施形態１と同様のものは、同様の符号を付してその説明は省略する。
【００４９】
御札スタンド２は、図４に示すように、平面状の大きめのシート状部材ＬＳ２からシート材Ｓ２を切り出し、そして、このシート材Ｓ２を折曲部に設けた折り線ａ，ｂ，ｃ，ｇ，ｈ，ｉで折曲することによって組み立てている。
【００５０】
本実施形態では、シート状部材ＬＳ２としては、厚紙（ボール紙）を使用している。なお、シート状部材ＬＳ２としては、厚紙以外に、例えば、合成樹脂も使用することができる。シート材Ｓ２は、フラップ８０を除いた部分が長方形状に形成されている。
【００５１】
シート状部材ＬＳ２は、図４で見える面を表面（一方の面）Ａとし、反対の見えない面を裏面（他方の面）Ｂとすると、シート材Ｓ２は、シート状部材ＬＳ２の表面Ａからのみの加工によって形成され、裏面Ｂからは何の加工もなされない。
表面Ａから加工としては、シート状部材ＬＳ２からシート材Ｓ２の切り取りがある。シート材Ｓ２は、フラップ８０を除いて、長方形状に切り取られる。
【００５２】
表面Ａからの加工として、折れ線ａ，ｂ，ｃに加え、折れ線ｇ，ｈ，ｉがある。折れ線ｇは、後述する補助板４０と重畳板５０との間の折曲部、また、折れ線ｈは、傾斜付与板３０と載置板６０との間の折曲部、そして、折れ線ｉは、載置板６０と折返し板７０との間の折曲部に形成されている。
【００５３】
また、折れ線ｇ，ｈ，ｉは、例えば、シート材Ｓ２の全厚さの半分ほどの切れ目を表面Ａ側から入れることによって構成されている。これら折れ線ｇ，ｈ，ｉは、山折れ線であり、シート材Ｓ２の長辺に対して垂直に形成されている。折れ線ｇ，ｈ，ｉは、互いに平行になっており、上述の折れ線ａ，ｂ，ｃに対しても平行となっている。
【００５４】
さらに、表面Ａからの加工として、補助板４０に形成された嵌込み孔ｆがある。この嵌込み孔ｆは、折れ線ｇと平行に形成されていて、フラップ８０を嵌め込む透孔である。
【００５５】
このように、シート材Ｓ１に対する加工として、シート状部材ＬＳ１からのシート材Ｓ１の切り取り、折れ線ｇ，ｈ，ｉの形成、及び切り抜きｆの形成があるが、これらの加工はいずれもシート状部材ＬＳ２の表面Ａからのみ行われる。
【００５６】
つづいて、図５、図６を参照して、組み立て後の御札スタンド２について説明する。なお、図５、図６中に矢印で示す前後左右上下が、御札スタンド２の前後左右上下と一致するものとする。
【００５７】
御札スタンド２は、後面支持板１０、下面支持板２０、傾斜付与板３０、及び補助板４０に加え、重畳板５０、載置板６０、折返し板７０、及びフラップ８０を備えている。
【００５８】
このうち重畳板５０は、補助板４０の下端４０ｇから前方に折曲され、下面支持板２０の後側部分２２の上面に重畳されて前端５０ａを後面支持板１０の下端１０ａに合わせるようにしている。
【００５９】
載置板６０は、傾斜付与板３０の下端３０ｈから後方に折曲されて後端６０ｉを補助板４０の下端４０ｇに合わせている。載置板６０は、全体が載置面Ｎに載る。
【００６０】
折返し板７０は、載置板６０の後端６０ｉから上方に折曲されている。折返し板７０は、下端７０ｉから上端７０ｊまでが補助板４０の下端４０ｇ近傍を外側から覆っている。
フラップ８０は、折返し板７０の上端７０ｊに形成されて、補助板４０に形成された嵌込み孔ｆに対し、外側から内側に嵌め込まれている。
【００６１】
さらに、重畳板５０における裏面Ｂには、「上」を意味する符号５０ｋが、また、下面支持板２０の後側部分２２における表面Ａには、「下」を意味する符号２２ｋが付されている。これにより、使用者が御札スタンド２を組み立てる際、重畳板５０と下面支持板２０の後側部分２２との上下関係を間違えないようにすることができる。
本実施形態によると、上述の実施形態１の効果に加え、さらに、次の効果がある。
【００６２】
・御札スタンド２は、重畳板５０、載置板６０、折返し板７０、及びフラップ８０を備えていて、フラップ８０を、嵌込み孔ｆに嵌め込むことにより、例えば、載置面Ｎが滑るような場合でも、全体形状をしっかりと維持することができる。
【００６３】
すなわち、実施形態１の御札スタンド１にあっては、例えば、載置面Ｎが滑りやすい場合、図３に示す補助板４０の下端４０ｇが後方に滑ったり、また、傾斜付与板３０の下端３０ｈが前方に滑ったりして、御札スタンド１の形状が崩れるおそれがある。
【００６４】
これに対し、本実施形態の御札スタンド２は、補助板４０の下端４０ｇが後方に滑って後面支持板１０の上端１０ｃと補助板４０の上端４０ｃとがなす角度が大きくなることを、載置板６０、折返し板７０、及びフラップ８０が防止する。
また、傾斜付与板３０の下端３０ｈが前方に滑ることを、載置板６０、折返し板７０、及びフラップ８０が防止する。
【００６５】
このように、御札スタンド２の形状を乱すような力が作用した場合でも、御札スタンド２は、しっかりとその形状を保持することができ、安定して御札Ｍを後傾姿勢で立設することができる。
【符号の説明】
【００６６】
１      御札スタンド（実施形態１）
２      御札スタンド（実施形態２）
１０    後面支持板
１０ａ  後面支持板の下端
１０ｃ  後面支持板の上端
２０    下面支持板
２１    前側部分
２１ｂ  下面支持板の前側部分の前端
２２    後側部分
２２ｄ  下面支持板の後側部分の後端
２２ｋ  「下」を意味する符号
３０    傾斜付与板
３０ｈ  傾斜付与板の下端
４０    補助板
４０ｇ  補助板の下端
５０    重畳板
５０ａ  重畳板の前端
５０ｋ  「上」を意味する符号
６０    載置板
６０ｉ  載置板の後端
７０    折返し板
７０ｊ  折返し板の上端
８０    フラップ
Ａ      シート状部材の表面（一方の面）
ａ，ｂ，ｃ，ｇ，ｈ，ｉ
折り線（折曲部）
ｅ      切り込み部（引っ掛け部）
ｆ      嵌込み孔
ＬＳ１  シート状部材（実施形態１）
ＬＳ２  シート状部材（実施形態２）
Ｍ      御札
Ｍ１    御札の後面
Ｍ２    御札の下面
Ｎ      載置面
Ｓ１    シート材（実施形態１）
Ｓ２    シート材（実施形態２）
【図１】
2020058670.tif 000003
【図２】
2020058670.tif 000004
【図３】
2020058670.tif 000005
【図４】
2020058670.tif 000006
【図５】
2020058670.tif 000007
【図６】
2020058670.tif 000008
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
１枚のシート材を折曲させて組み立て、御札を立て掛け姿勢で立設する御札スタンドにおいて、
御札の後面を後方から支持する後傾姿勢の後面支持板と、
前記後面支持板の下端から前方に折曲されて前記御札の下面を下方から支持する前上がりの前側部分と、前記前側部分と同一平面を形成するとともに前記後面支持板の下端よりも後方に位置して後端を載置面に載せる後側部分とを有する下面支持板と、
前記下面支持板の前記前側部分の前端から下方に折曲され、下端を前記載置面に載せて前記下面支持板に傾斜を付与する傾斜付与板と、
前記後面支持板の上端から下方に折曲されて、下端を前記載置面上の前記後側部分の後端に合わせ、前記後面支持板を後方から支持する前傾姿勢の補助板と、
前記補助板の下端から前方に折曲され、前記下面支持板の前記後側部分の上面に重畳されて前端を前記後面支持板の下端に合わせる重畳板と、
前記傾斜付与板の下端から後方に折曲されて後端を前記補助板の下端に合わせる載置板と、
前記載置板の後端から上方に折曲された折返し板と、
前記折返し板の上端に形成されて、前記補助板に形成された嵌込み孔に嵌め込まれるフラップと、を備える、
ことを特徴とする御札スタンド。
【請求項２】
前記重畳板には「上」を、前記下面支持板の前記後側部分には「下」を意味する符号が付されている、
ことを特徴とする請求項１に記載の御札スタンド。
【請求項３】
前記シート材から前記フラップを除いた部分は、長方形状に形成されている、
ことを特徴とする請求項１又は２に記載の御札スタンド。
【請求項４】
前記シート材は、シート状部材を一方の面からのみ加工して形成した、
ことを特徴とする請求項１ないし３のいずれか1項に記載の御札スタンド。
【請求項５】
前記シート材は、厚紙である、
ことを特徴とする請求項１ないし４のいずれか１項に記載の御札スタンド。
【請求項６】
前記補助板は、壁から出た吊り下げ具に引っ掛けるための引っ掛け部を有する、
ことを特徴とする請求項１ないし５のいずれか１項に記載の御札スタンド。
【手続補正２】
【補正対象書類名】明細書
【補正対象項目名】０００７
【補正方法】変更
【補正の内容】
【０００７】
請求項１に係る発明は、１枚のシート材を折曲させて組み立て、御札を立て掛け姿勢で立設する御札スタンドにおいて、御札の後面を後方から支持する後傾姿勢の後面支持板と、前記後面支持板の下端から前方に折曲されて前記御札の下面を下方から支持する前上がりの前側部分と、前記前側部分と同一平面を形成するとともに前記後面支持板の下端よりも後方に位置して後端を載置面に載せる後側部分とを有する下面支持板と、前記下面支持板の前記前側部分の前端から下方に折曲され、下端を前記載置面に載せて前記下面支持板に傾斜を付与する傾斜付与板と、前記後面支持板の上端から下方に折曲されて、下端を前記載置面上の前記後側部分の後端に合わせ、前記後面支持板を後方から支持する前傾姿勢の補助板と、前記補助板の下端から前方に折曲され、前記下面支持板の前記後側部分の上面に重畳されて前端を前記後面支持板の下端に合わせる重畳板と、前記傾斜付与板の下端から後方に折曲されて後端を前記補助板の下端に合わせる載置板と、前記載置板の後端から上方に折曲された折返し板と、前記折返し板の上端に形成されて、前記補助板に形成された嵌込み孔に嵌め込まれるフラップと、を備える、ことを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項２に係る発明は、請求項１に係る御札スタンドにおいて、前記重畳板には「上」を、前記下面支持板の前記後側部分には「下」を意味する符号が付されている、ことを特徴とする。
【手続補正６】
【補正対象書類名】明細書
【補正対象項目名】００１１
【補正方法】変更
【補正の内容】
【００１１】
請求項３に係る発明は、請求項１又は２に係る御札スタンドにおいて、前記シート材から前記フラップを除いた部分は、長方形状に形成されている、ことを特徴とする。
【手続補正７】
【補正対象書類名】明細書
【補正対象項目名】００１２
【補正方法】変更
【補正の内容】
【００１２】
請求項４に係る発明は、請求項１ないし３のいずれか１項に係る御札スタンドにおいて、前記シート材は、シート状部材を一方の面からのみ加工して形成した、ことを特徴とする。
【手続補正８】
【補正対象書類名】明細書
【補正対象項目名】００１３
【補正方法】変更
【補正の内容】
【００１３】
請求項５に係る発明は、請求項１ないし４のいずれか１項に係る御札スタンドにおいて、前記シート材は、厚紙である、ことを特徴とする。
【手続補正９】
【補正対象書類名】明細書
【補正対象項目名】００１４
【補正方法】変更
【補正の内容】
【００１４】
請求項６に係る発明は、請求項１ないし５のいずれか１項に記載の御札スタンドにおいて、前記補助板は、壁から出た吊り下げ具に引っ掛けるための引っ掛け部を有する、ことを特徴とする。
【手続補正１０】
【補正対象書類名】明細書
【補正対象項目名】００１８
【補正方法】変更
【補正の内容】
【００１８】
また、御札スタンドは、重畳板が、補助板の下端から前方に折曲され、下面支持板の後側部分の上面に重畳されて前端を後面支持板の下端に合わせるので、補助板の下端の位置がより一層明確に確定される。
【手続補正１１】
【補正対象書類名】明細書
【補正対象項目名】００１９
【補正方法】変更
【補正の内容】
【００１９】
さらにまた、御札スタンドは、載置板、折返し板、及びフラップを備える。載置板は、傾斜付与板の下端から後方に折曲されて後端を補助板の下端に合わせるものであり、折返し板は、載置板の後端から上方に折曲されるものである。そして、フラップは、折返し板の上端に形成されて、補助板に形成された嵌込み孔に嵌め込まれるものである。このため、御札スタンドは、フラップを嵌込み孔に嵌め込むことにより、形状をしっかりと維持することができる。補正前の請求項１において、載置面が滑りやすく、補助板の下端が滑りがちとなるような場合でも、これを防止することができる。
【手続補正１２】
【補正対象書類名】明細書
【補正対象項目名】００２０
【補正方法】変更
【補正の内容】
【００２０】
請求項２の発明によれば、御札スタンドは、重畳板には「上」を、下面支持板の後側部分には「下」を意味する符号が付されているので、例えば、使用者がシート材を折曲させて御札スタンドを組み立てる際、後側部分が下に、そして、重畳板が上に重なることが明確に分かる。
【手続補正１３】
【補正対象書類名】明細書
【補正対象項目名】００２１
【補正方法】変更
【補正の内容】
【００２１】
請求項３の発明によれば、御札スタンドは、シート材からフラップを除いた部分が、長方形状に形成されているので、シート状部材からシート材を切り取る際、無駄が出にくい。
【手続補正１４】
【補正対象書類名】明細書
【補正対象項目名】００２２
【補正方法】変更
【補正の内容】
【００２２】
請求項４の発明によれば、御札スタンドは、シート状部材を一方の面からのみ加工して形成していて、シート状部材の他方の面からの加工は不要であるので、その分、加工を簡略化することができる。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
請求項５の発明によれば、御札スタンドは、シート材が厚紙によって形成されているので、プラスチック等の合成樹脂でできている場合と異なり、処分する際に、廃棄が容易である。
【手続補正１７】
【補正対象書類名】明細書
【補正対象項目名】００２５
【補正方法】変更
【補正の内容】
【００２５】
請求項６の発明によれば、御札スタンドは、補助板が、壁から出た吊り下げ具に引っ掛けるための引っ掛け部を有するので、載置面に置いた状態で使用するばかりでなく、壁に掛けても使用することができる。